(57)【要約】【課題】機構および操作簡単なるシート状物品の保持機構を提供する。【解決手段】内部平面を各々有する基体と保持体を設けるとともに、各平面を所定距離を有して対向配置し、一方、その一端を斜方に形成するとともに他端に稜線を有する弾力体を設け、前記平面の一方に弾力体の斜方個所を固着して他端稜線と他方の平面が軽い押圧状態になるよう構成したことを特徴とする。【選択図】図６
2012016937.tif 000002
【特許請求の範囲】
【請求項１】
内部平面を各々有する基体と保持体を設けるとともに、各平面を所定距離を有して対向配置し、一方、その一端を斜方に形成するとともに他端に稜線を有する弾力体を設け、前記平面の一方に弾力体の斜方個所を固着して他端稜線と他方の平面が軽い押圧状態になるよう構成したことを特徴とするシート状物品保持機構。
【請求項２】
弾力体の固着個所近傍を薄平板状としてなる請求項１記載のシート状物品保持機構。
【請求項３】
弾力体を側面視Ｖ形平板とし、該平板の一方端部近傍のみを基体もしくは保持体の平面適所に固着してなる請求項１または２記載のシート状物品保持機構。
【請求項４】
その一端に平面部分を有する細長の柄の一端下方に平板状の保持体を柄下面に対して所定距離を有して平行に取り付け、該保持体もしくは柄の下面に弾力体端を斜方にかつ対向面と適度の押圧関係にて弾力体端が位置するよう固着し、柄の前端もしくは後端に、チケット保持手段を設けたことを特徴とするシート状物品保持具。
【発明の詳細な説明】
【技術分野】
【０００１】  この発明は、紙片やカード状物品の保持と離脱を容易に行うための機構および該機構を用いたシート状物品保持具に関する。
【背景技術】
【０００２】  従来より、カード状物品の保持と離脱を行うための種々の機構が利用されているが、本発明に示すように、平行な対向面間に高摩擦係数弾力体を斜方に位置させる方式のものは見あたらない。
【発明の開示】
【発明が解決しようとする課題】
【０００３】  紙片等を保持するための機構は従来より多用されてきた。例えば折曲細金属棒の弾性を利用したゼムクリップ、内蔵バネ力にて開閉する板体を用いた鰐口クリップなどが代表例である。また、画鋲やマグネット磁力を用いたマグネットクリップも広範に利用されている。しかし、その利用に際しては一長一短があり、より簡便に利用できるものが望まれている。本発明は、以上に鑑み、操作性に優れた新規かつ有用なる手段を得るべく発明されたもので、多方面への利用を目的としたものである。
【課題を解決するための手段】
【０００４】  課題を解決する手段として本発明は以下の構成とした。
すなわち、内部平面を各々有する基体と保持体を設けるとともに、各平面を所定距離を有して対向配置し、一方、その一端を斜方に形成するとともに他端に稜線を有する弾力体を設け、前記平面の一方に弾力体の斜方個所を固着して他端稜線と他方の平面が軽い押圧状態になるよう構成する。本発明は以上の構成よりなるシート状物品保持機構である。
また、その一端に平面部分を有する細長の柄の一端下方に平板状の保持体を柄下面に対して所定距離を有して平行に取り付け、該保持体もしくは柄の下面に弾力体端を斜方にかつ対向面と適度の押圧関係にて弾力体端が位置するよう固着し、柄の前端もしくは後端に、チケット保持手段を設ける。本発明の一つは以上の構成よりなるシート状物品保持具である。
【発明の効果】
【０００５】  本発明は以下の効果を有する。
１．斜方に位置する弾力体の先端移動と押圧圧縮によるシート状物品保持のために、紙片  等を軽く差し込むだけで保持することができ、紙片の自然脱落を防止するとともにその  抜き取りも容易となる操作容易なる機構を得ることができる。
２．小型軽量にて簡易に製作可能であり、磁石を付帯させることにて磁着による本機構設  置を行うことができる。
３．その機構上、紙片等の複数枚の同時保持ができる。
４．柄の先端に本機構を設け、柄の一方の端部上面に弾性変形可能なる挟持板を設けるこ  とにて、駐車チケット等保持用具として利用することができる。
【発明を実施するための最良の形態】
【０００６】  以下、本発明の実施形態について説明する。
図において、１は基体で、側面視Ｌ形の板体であり、その端面に小平板状の保持体２が各上端を一致させるとともに対向する平面を有して固着される。３は弾力体である。
この弾力体は略四角形の小平板であり、高摩擦係数と弾力を有するゴムから形成され、その一辺は斜方に切断され、この切断面を基体内面に固着して位置する。また、この固着位置に対し弾力体他端は基体上方に位置し、保持体内面に軽い押圧状態にて接している。
４は磁石で、基体背面に穿設される孔内に固着されて位置し、基体背面と磁石端面位置は一致している。５はガイド体で、その下部を斜方に形成するとともに中央近傍は切除され、この切除部内に前記弾力体を位置させて基体内面に固着される。
次に本例の使用について説明する。
使用時は、磁石を壁面その他の磁着可能場所に基体と保持体の間隙を下方に向けて磁着させ、紙片等を保持体とガイド体の間隙下方より挿入し、紙片等はやがて弾力体に接するが、さらに挿入すると紙片は弾力体端を上方へ押し上げる。これは初期状態においては弾力体端は保持体面に軽く押圧しているために起こる。紙片と弾力体はその摩擦と押圧にて互いに上方へ移動し、適宜位置にて紙片を停止させる。このとき、紙片は弾力体と押圧関係にあり、保持体内面に押圧保持されている。紙片を下方移動させると、紙片と弾力体との押圧摩擦にて弾力体端は紙片とともに圧縮されながら下方へ移動する。弾力体は上方へ向けて斜方に基体に固着されており、下降に伴って弾力体に圧縮が発生するため、紙片に対する弾力体からの押圧力は上昇するので、やがて紙片の移動は不可となり、本品からの脱落は阻止される。紙片を引き抜くときは、本品横方向に水平に引き抜くことにて、弾力体からの押圧力変化はなく、目的を達することができる。なお、紙片等は複数枚の保持ができる。【０００７】  図４〜図６は本発明の別例を示すものである。図４は弾力体下部の一部を切除して切除部６を有する薄板状としたもので、紙片挿入時抵抗を小としたものである。図５は、弾力体を基片７を有する側面視Ｖ形として、基片の一部のみを基体内面に固着したものである。本例では弾力体の上方移動時には、弾力体の弾性変形に加えて基片も弾性変形するので、この双方の弾性変形にて紙片挿入時抵抗を小とする効果がある。図６は、弾力体の一部切除に加えて基片方式を用いたもので、紙片挿入抵抗をさらに少なくすることができる。【０００８】  図７〜図１０は、既述の機構を用いたシート状物品保持具である。
図において、１０は適宜長板体による柄、１１は柄先端に固着される小ゴム板による摩擦片、１２は柄の後部上面にその端部が螺着される合成樹脂製の弾力薄板による挟持板である。この挟持板の一部は柄外周よりその一部がやや突出して位置し、チケットの挿入を容易としている。また、この挟持板は柄先端上面あるいは下面に設けてもよい。
１３は保持機構部である。この保持機構部は、有孔小平板によるスペーサー１４を介して柄の下方に雌ねじを有する板状の保持体１５が位置し、柄に穿設される孔を介してこれら物品は互いに平行な平面を対向させて上下にビス止めされる。保持体の上部適所は角形の凹部１６が形成され、この凹部内に、図５にて示す形式による弾力体１７が斜方に固着される。なお、凹部を設けずに、保持体上面に直に弾力体を設けてもよい。また、挟持板を設ける代わりに、保持体側面にＶ形薄溝を設ける方式としてもよい。あるいは、柄の下面に弾力体を固着する方式としてもよい。
このシート状物品保持具は、駐車券の保持と離脱のためのものである。
一般に、駐車場にはチケット発行機と車通過遮断機が併設されていることが多く、利用者はチケット発行機に車を寄せて、窓から手を伸ばしてボタンを押し、出てきたチケットを引き出して所持し、出車のときはそのチケットをチケット発行機所定個所に差し込んで通過遮断機のバーを上方に回動させて通過する。この場合、チケット発行機と車の距離が重要である。この距離が近すぎると、サイドミラーが発行機に当たって損傷の恐れがあり、遠すぎると手を伸ばしても発行機に届かず、所定の目的を達することができない。
とりわけ、女性や高齢者などの場合、この車寄せに難儀することが多く、苦慮している。
本品はこのような場合の補助具としての役割を有するものである。  利用時は、車を発行機に寄せた後、柄の後方を手に持ち、柄先端の摩擦片をボタンに押しあてることにて、チケットの一部が発行機から突出する。次に、柄と保持体との間隙内にチケットが位置するように、チケットに向けて本品を移動させる。チケットは弾力体に当接し、さらに内奥へと進む。柄を手前側に引き寄せると、既述の作用にてチケットは柄に保持され、車内に持ち込むことができる。車出しのときは、チケットを挟持板と柄上面との間に軽く差し込んで保持させ、発行機所定個所に差し込むと、チケットは柄より抜き取られて発行機内に収納され、車を出すことができる。【０００９】  以上、本発明について記したが、本発明は従来にない機構を有して、紙片等の簡易な保持と抜き取りを可能とし、その自然脱落を防止するものである。従来は紙片ごとに保持するために手間を要したが、本品は複数枚の保持が可能であり、その一枚ごとの抜き取りが可能のため、利便性の高い機構が得られるのである。
なお、記述例では基体に保持体を固着する方式としたが、螺着あるいは一体成形としてもよい。図７以下に示す例において、柄先端に摩擦片を設けたのは、チケット発行機のボタンは凸状球面の場合があり、押圧時の滑りを考慮したものである。このボタンは凹状球面の場合もあり、そのため柄先端に曲面を用いたのである。図による機構は弾力体斜方部に切除部を有さないのでチケット引き抜きに対する強い抵抗にも対応できて、十分に目的を達することができる。また、保持体１５に凹部を設けたので、弾力体移動にて起こる弾力体と一体の基片の浮き上がり個所へのチケット当接は防止される。これは図５〜図６の例でも同様である。図１〜図６の例においては、ガイド体があるため、紙片等の挿入枚数を制限して、適宜な保持を可能としている。なお、以上の例は実施の一例であり、近似の他の構成としてもよい。以上のごとく、本発明にてシート状物品保持のための有用なる機構と物品を得ることができる。
【図面の簡単な説明】
【００１０】
【図１】本発明の正面図
【図２】本発明の左側面図
【図３】本発明の機能説明図
【図４】本発明の他例説明図
【図５】本発明の他例説明図
【図６】本発明の他例説明図
【図７】本発明の保持具平面図
【図８】本発明の保持具正面図
【図９】本発明の保持具の要部説明図
【図１０】本発明の保持具の要部説明図
【符号の説明】
【００１１】１    基体
２    保持体
３    弾力体
４    磁石
５    ガイド体
６    切除部
７    基片
８    シート状物品
１０  柄
１１  摩擦板
１２  挟持板
１３  保持機構部
１４  スペーサー
１５  保持体
１６  凹部
１７  弾力体
１８  チケット
【図１】
2012016937.tif 000003
【図２】
2012016937.tif 000004
【図３】
2012016937.tif 000005
【図４】
2012016937.tif 000006
【図５】
2012016937.tif 000007
【図６】
2012016937.tif 000008
【図７】
2012016937.tif 000009
【図８】
2012016937.tif 000010
【図９】
2012016937.tif 000011
【図１０】
2012016937.tif 000012